(57)【要約】  【課題】  漂白活性化剤を含有する系においても経時による起泡性低下を抑制し、より安全性の高い液体漂白剤組成物の提供。  【解決手段】  （ａ）過酸化水素０．１〜３０質量％、（ｂ）アルカノイル（Ｃ6-14）オキシベンゼンスルホン酸又はカルボン酸（塩）０．１〜４質量％、（ｃ）ＨＬＢが１１〜１４の非イオン界面活性剤（但し（ｄ）成分を除く）２〜３０質量％、（ｄ）式（１）のアルキルグリコシド０．５〜１０質量％、及び（ｅ）式（２）の水溶性有機溶剤０．５〜５質量％を含有し、（ｃ）／（ｄ）（質量比）＝１／２〜１０／１である液体漂白剤組成物、並びにこの組成物を泡形成機構を具備する容器に充填してなる液体洗浄剤物品。    Ｒ1a−(ＯＲ1b)xＧy        （１）    Ｒ2a−(ＯＲ2b)n−ＯＨ     （２）〔式中、Ｒ1aはＣ8-16の１価脂肪族炭化水素基、Ｒ1bはＣ2-4のアルキレン基、Ｇは還元糖残基、ｘは０〜６、ｙは１〜１０、Ｒ2aはフェニル基、Ｒ2bはＣ2-3のアルキレン基、ｎは２〜３を示す。〕【選択図】  なし【特許請求の範囲】
【請求項１】
下記（ａ）成分０．１〜３０質量％、（ｂ）成分０．１〜４質量％、（ｃ）成分２〜３０質量％、（ｄ）成分０．５〜１０質量％、及び（ｅ）成分０．５〜５質量％を含有し、（ｃ）成分と（ｄ）成分の質量比が、（ｃ）／（ｄ）＝１／２〜１０／１である液体漂白剤組成物。
（ａ）：過酸化水素
（ｂ）：アルカノイル基の炭素数が６〜１４のアルカノイルオキシベンゼンスルホン酸又はカルボン酸、あるいはそれらの塩
（ｃ）：ＨＬＢが１１〜１４の非イオン界面活性剤（但し、（ｄ）成分を除く）
（ｄ）：一般式（１）で表されるアルキルグリコシド
Ｒ1a−(ＯＲ1b)xＧy        （１）
〔式中、Ｒ1aは炭素数８〜１６の１価の脂肪族炭化水素基、Ｒ1bは炭素数２〜４のアルキレン基、Ｇは還元糖に由来する残基、ｘは平均値で０〜６の数、ｙは平均値で１〜１０を示す。〕
（ｅ）：一般式（２）で表される水溶性有機溶剤
Ｒ2a−(ＯＲ2b)n−ＯＨ      （２）
〔式中、Ｒ2aはフェニル基、Ｒ2bは炭素数２〜３のアルキレン基、ｎは２〜３の数を示す。〕
【請求項２】
（ｄ）成分と（ｅ）成分の質量比が、（ｄ）／（ｅ）＝１／５〜５／１である請求項１記載の液体漂白剤組成物。
【請求項３】
さらに、（ｆ）−ＣＯＯＭ基（ＭはＨ又は対イオン）を有する陰イオン界面活性剤０．０１〜５質量％を含有する請求項１又は２記載の液体漂白剤組成物。
【請求項４】
２０℃における粘度が２０ｍＰａ・ｓ以下である請求項１〜３いずれかに記載の液体漂白剤組成物。
【請求項５】
請求項１〜４いずれかに記載の液体漂白剤組成物を、泡形成機構を具備する容器に充填してなる液体洗浄剤物品。
【発明の詳細な説明】
【技術分野】
【０００１】
本発明は、液体漂白剤組成物及び液体洗浄剤物品に関する。
【背景技術】
【０００２】
過酸化水素を主基剤とする酸素系液体漂白剤は色・柄物に使用でき、汚れに直接塗布できるなどの利点から好まれて使用されており、使い勝手の点からトリガー容器に充填して用いられている。
【０００３】
特許文献１には特定の成泡機構を有する吐出機を持つトリガー容器に充填した酸素系液体漂白剤が開示されている。特許文献２には過酸素漂白剤と、界面活性剤とを含んでなるスプレー型ディスペンサー入り液状組成物が開示されている。特許文献３にはアルキルグリコシドを含有する硬質表面用漂白剤が開示されており、スプレー容器を用いて泡状での供給が可能であることが示唆されている。特許文献４には、アルキルグリコシドとポリオキシアルキレンアルキルエーテルを含有する衣料漂白用泡状組成物が開示されている。
【特許文献１】特開平１１−１００５９４号公報
【特許文献２】特表平１１−５００７７８号公報
【特許文献３】特開平５−１５６２９３号公報
【特許文献４】特開２００４−７６００６号公報
【発明の開示】
【発明が解決しようとする課題】
【０００４】
上記特許文献に開示されている漂白剤組成物は、衣料にスプレーすることにより簡便に漂白洗浄性能を得ることができ、初期起泡性は良好であるが、漂白性能の改善のために漂白活性化剤を配合した系においては、保存時に漂白活性化剤の分解により脂肪酸が生成し、それによって、保存後の起泡性が低下するという問題があった。起泡性の低下は、時にはミスト状の噴霧液となって、飛び跳ねによる眼への誤入などの身体トラブルを招き、安全性上問題となる虞がある。
【０００５】
本発明の課題は、漂白活性化剤を含有する系においても経時による起泡性低下を抑制し、より安全性の高い液体漂白剤組成物を提供することにある。
【課題を解決するための手段】
【０００６】
本発明は、下記（ａ）成分０．１〜３０質量％、（ｂ）成分０．１〜４質量％、（ｃ）成分２〜３０質量％、（ｄ）成分０．５〜１０質量％、及び（ｅ）成分０．５〜５質量％を含有し、（ｃ）成分と（ｄ）成分の質量比が、（ｃ）／（ｄ）＝１／２〜１０／１である液体漂白剤組成物、及びさらに、（ｆ）成分０．０１〜５質量％を含有する液体漂白剤組成物、並びにこの液体漂白剤組成物を、泡形成機構を具備する容器に充填してなる液体洗浄剤物品を提供する。
（ａ）：過酸化水素
（ｂ）：アルカノイル基の炭素数が６〜１４のアルカノイルオキシベンゼンスルホン酸又はカルボン酸、あるいはそれらの塩
（ｃ）：ＨＬＢが１１〜１４の非イオン界面活性剤（但し、（ｄ）成分を除く）
（ｄ）：一般式（１）で表されるアルキルグリコシド
Ｒ1a−(ＯＲ1b)xＧy        （１）
〔式中、Ｒ1aは炭素数８〜１６の１価の脂肪族炭化水素基、好ましくは直鎖又は分岐鎖のアルキル基、Ｒ1bは炭素数２〜４のアルキレン基、Ｇは還元糖に由来する残基、ｘは平均値で０〜６の数、ｙは平均値で１〜１０を示す。〕
（ｅ）：一般式（２）で表される水溶性有機溶剤
Ｒ2a−(ＯＲ2b)n−ＯＨ      （２）
〔式中、Ｒ2aはフェニル基、Ｒ2bは炭素数２〜３のアルキレン基、ｎは２〜３の数を示す。〕
（ｆ）：−ＣＯＯＭ基（ＭはＨ又は対イオン）を有する陰イオン界面活性剤
【発明の効果】
【０００７】
本発明の液体漂白剤組成物は、優れた漂白洗浄性能を有し、更に経時による起泡性低下を抑制することができる。
【発明を実施するための最良の形態】
【０００８】
［（ｂ）成分］
本発明の（ｂ）成分はアルカノイル基の炭素数が６〜１４のアルカノイルオキシベンゼンスルホン酸又はカルボン酸、あるいはそれらの塩から選ばれる漂白活性化剤である。
【０００９】
アルカノイル基の炭素数は、好ましくは８〜１４、更に好ましくは８〜１３である。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸等のアルカノイルオキシベンゼンスルホン酸；オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸等のアルカノイルオキシベンゼンカルボン酸、及びこれらの塩が挙げられる。塩としてはナトリウム塩、カリウム塩、マグネシウム塩が好ましく、特にナトリウム塩が溶解性の点から好ましい。
【００１０】
これらの中でも特にノナノイルオキシ−ｐ−ベンゼンスルホン酸、ノナノイルオキシ−ｐ−ベンゼンカルボン酸、デカノイルオキシ−ｐ−ベンゼンカルボン酸、ドデカノイルオキシ−ｐ−ベンゼンスルホン酸及びこれらの塩が漂白効果の点から好ましく、ドデカノイルオキシ−ｐ−ベンゼンスルホン酸及びこの塩が漂白効果の点で最も好ましい。
【００１１】
［（ｃ）成分］
本発明の（ｃ）成分は、ＨＬＢが１１〜１４、好ましくは１１．５〜１４、特に好ましくは１２〜１３．５の非イオン界面活性剤（但し（ｄ）成分を除く）である。
【００１２】
ここでＨＬＢは、ポリオキシアルキレンアルキルエーテル型非イオン界面活性剤を用いる場合にはグリフィンの方法を採用する。また、グリフィンの方法ではＨＬＢを求めることができない非イオン界面活性剤は、実験によって求めるものとする。実験方法は「界面活性剤便覧」産業図書株式会社版、西  一郎ら編集、昭和４１年１月１０日第５刷、３１９頁記載の方法を採用する。また、複数の非イオン界面活性剤が混合されている場合には、ＨＬＢ値には加成性が成り立つため、加重平均で求めることができ、加重平均値が本発明のＨＬＢ値の範囲に入ればよい。
【００１３】
（ｃ）成分としては、一般式（３）で表される化合物が挙げられる。
【００１４】
Ｒ3a−Ｔ−［（Ｒ3bＯ）w−Ｈ］v    （３）
〔式中、Ｒ3aは炭素数１０〜１６、好ましくは１０〜１４の炭化水素基、好ましくはアルキル基であり、Ｒ3bは炭素数２〜３のアルキレン基、好ましくはエチレン基であり、Ｔは−Ｏ−、−ＣＯＯ−、−ＣＯＮ＜、−Ｎ＜から選ばれる基であり、ｖは、Ｔが−Ｏ−又は−ＣＯＯ−の場合には１であり、Ｔが−ＣＯＮ＜又は−Ｎ＜の場合には２である。ｗは本発明のＨＬＢの範囲に入るように選ばれ、Ｔが−Ｏ−又は−ＣＯＯ−の場合には、ｗは好ましくは４〜１６、より好ましくは５〜１４、更に好ましくは６〜１０であり、Ｔが−ＣＯＮ＜又は−Ｎ＜の場合には、ｗは好ましくは２〜８、より好ましくは２〜７、更に好ましくは３〜６である。〕
（ｃ）成分の好ましい例としては、一般式（３−１）で表される化合物及び一般式（３−２）で表される化合物から選ばれる１種以上を挙げることができるが、洗浄効果の点から、特に一般式（３−１）で表される化合物が好ましい。
【００１５】
Ｒ3c−Ｏ−(Ｃ2Ｈ4Ｏ)u−Ｈ    （３−１）
〔式中、Ｒ3cは炭素数１０〜１４のアルキル基を示す。ｕは５〜１２、好ましくは７〜１０の数である。〕
Ｒ3d−Ｏ−(Ｃ2Ｈ4Ｏ)t／(Ｃ3Ｈ6Ｏ)s−Ｈ    （３−２）
〔式中、Ｒ3dは炭素数１０〜１４のアルキル基を示す。ｔ及びｓはそれぞれ独立に２〜１２の数であり、ｔ＋ｓは５〜１２、好ましくは７〜１０の数である。また、エチレンオキシドとプロピレンオキシドはランダムあるいはブロック付加体であってもよい。特に好ましくは、洗浄効果の点から、エチレンオキシド−プロピレンオキシド−エチレンオキシドの順に重合付加されたブロック付加体である。〕
［（ｄ）成分］
本発明の（ｄ）成分は、上記一般式（１）で表されるアルキルグリコシドである。一般式（１）において、Ｒ1aは炭素数８〜１６、好ましくは１０〜１６、特に好ましくは１０〜１４の１価脂肪族炭化水素基、好ましくは直鎖又は分岐鎖のアルキル基である。Ｒ1bは炭素数２〜４のアルキレン基、好ましくはエチレン基又はプロピレン基、特に好ましくはエチレン基である。Ｇは還元糖に由来する残基であり、原料の還元糖としては、アルドースとケトースの何れであっても良く、また、炭素数が３〜６個のトリオース、テトロース、ペントース、ヘキソースを挙げることができる。アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。本発明ではこれらの中でも特に炭素数５又は６のアルドペントースあるいはアルドヘ キソースが好ましく、中でもグルコースが最も好ましい。
【００１６】
ｘは平均値で０〜６の数、好ましくは０〜３、特に好ましくは０であり、ｙは平均値で１〜１０、好ましくは１〜５、特に好ましくは１〜２である。
【００１７】
一般式（１）で表されるアルキルグリコシドは、上記還元糖と一般式（４）
Ｒ1a−(ＯＲ1b)x−ＯＨ        （４）
〔式中、Ｒ1a、Ｒ1b及びｘは前記の意味を示す。〕
で表される化合物を、酸触媒を用いて、アセタール化反応又はケタール化反応させることで容易に合成することができる。また、アセタール化反応の場合、ヘミアセタール構造であっても良く、通常のアセタール構造であっても良い。
【００１８】
［（ｅ）成分］
本発明の（ｅ）成分は前記一般式（２）で表される水溶性有機溶剤である。具体的には、ジアルキレン（アルキレン基の炭素数２〜３）グリコールモノフェニルエーテル、トリアルキレン（アルキレン基の炭素数２〜３）グリコールモノフェニルエーテルが挙げられ、ジエチレングリコールモノフェニルエーテル、トリエチレングリコールモノフェニルエーテルが好ましい。
【００１９】
［（ｆ）成分］
本発明の（ｆ）成分は、−ＣＯＯＭ基（ＭはＨ又は対イオン）を有する陰イオン界面活性剤である。好ましい陰イオン界面活性剤としては、分子中に炭素数８〜１８、好ましくは８〜１６、特に好ましくは８〜１４のアルキル基又はアルケニル基と、−ＣＯＯＭ基を有する陰イオン界面活性剤が挙げられる。具体的には上記炭素数を有する脂肪酸及びその塩が好ましい。塩としては、ナトリウム塩、カリウム塩、アンモニウム塩、アルカノールアミン塩が良好である。
【００２０】
［液体漂白剤組成物］
本発明の液体漂白剤組成物中の（ａ）成分の含有量は、優れた漂白効果を得る観点から、０．１〜３０質量％であり、０．２〜１０質量％が好ましく、０．５〜６質量％が更に好ましい。（ｂ）成分の含有量は、漂白効果を向上させる観点から、０．１〜４質量％であり、０．２〜３質量％が好ましく、０．４〜１質量％が更に好ましい。（ｃ）成分の含有量は、漂白力や洗浄力を改善する観点から、２〜３０質量％であり、２〜２０質量％が好ましく、４〜１５質量が更に好ましい。（ｄ）成分の含有量は、優れた起泡性を付与する観点から、０．５〜１０質量％であり、１〜８質量％が好ましく、１．５〜５質量％が更に好ましい。（ｅ）成分の含有量は、経時による起泡性低下を抑制する観点から、０．５〜５質量％であり、０．５〜３質量％が好ましく、１〜２質量％が更に好ましい。
【００２１】
本発明の組成物中の（ｃ）成分と（ｄ）成分の質量比は、良好な起泡性及び漂白洗浄性を得る観点から、（ｃ）／（ｄ）＝１／２〜１０／１であり、１／１〜８／１が好ましい。
【００２２】
また、本発明の組成物中の（ｄ）成分と（ｅ）成分の質量比は、経時による起泡性低下を抑制する観点から、（ｄ）／（ｅ）＝１／５〜５／１が好ましく、１／３〜３／１が更に好ましい。
【００２３】
本発明の組成物は、良好な洗浄効果を得る観点から、更に（ｆ）成分を含有することが好ましく、（ｆ）成分の含有量は、０．０１〜５質量％が好ましく、０．５〜４質量％が更に好ましく、１〜３質量％が特に好ましい。
【００２４】
本発明の組成物は、（ｂ）成分の組成物中における安定性を向上させる目的から、陽イオン界面活性剤及び／又は両性界面活性剤〔以下、（ｇ）成分という〕を含有することが好ましい。
【００２５】
陽イオン界面活性剤としては、一般式（６）で表される化合物が好ましい。
【００２６】
【化１】
2006143936.tif 000002
【００２７】
〔式中、Ｒ6aは炭素数８〜１８、好ましくは１０〜１８、特に好ましくは１０〜１６のアルキル基またはアルケニル基であり、Ｒ6b、Ｒ6c、Ｒ6dは同一又は異なっていてもよい炭素数１〜３のアルキル基である。Ｘ-は陰イオン、好ましくは炭素数１〜３のアルキル硫酸エステルイオン、炭素数１〜１２の脂肪酸イオン、炭素数１〜３の置換基を１〜３個有していてもよいアリールスルホン酸イオン、特に好ましくは炭素数１〜３のアルキル硫酸エステルイオンである。〕
また、両性界面活性剤としては、一般式（７）で表される化合物が好適である。
【００２８】
【化２】
2006143936.tif 000003
【００２９】
〔式中、Ｒ7aは炭素数９〜２３、好ましくは９〜１７、特に好ましくは９〜１５のアルキル基又はアルケニル基であり、Ｒ7bは炭素数１〜６、好ましくは２又は３のアルキレン基である。Ａは−ＣＯＯ−、−ＣＯＮＨ−、−ＯＣＯ−、−ＮＨＣＯ−、−Ｏ−から選ばれる基であり、ｄは０又は１の数である。Ｒ7c、Ｒ7dは、炭素数１〜３のアルキル基又はヒドロキシアルキル基であり、Ｒ7eはヒドロキシ基で置換していてもよい炭素数１〜５、好ましくは１〜３のアルキレン基である。Ｂは−ＣＯＯ-、−ＳＯ3-、−ＯＳＯ3-から選ばれる基である。〕
本発明の組成物中の（ｇ）成分の含有量は、０〜２質量％が好ましく、０．１〜１質量％がより好ましく、０．２〜０．６質量％が特に好ましい。
【００３０】
本発明の組成物は、漂白効果を高める観点から分散剤〔以下、（ｈ）成分という〕を含有することが好ましい。特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸のコポリマーもしくはその塩から選ばれるカルボン酸系ポリマー、及び重量平均分子量４千〜２万、好ましくは５千〜１万のポリエチレングリコールから選ばれる非イオン性ポリマーが好ましい。
【００３１】
本発明の組成物中の（ｈ）成分の含有量は、０．０５〜１４質量％が好ましく、０．１〜８質量％が更に好ましい。
【００３２】
さらに本発明の組成物は、漂白効果を向上させる観点から金属イオン封鎖剤〔以下、（ｉ）成分という〕を含有することが好ましい。本発明に用いられる（ｉ）成分としては、（１）フィチン酸等のリン酸系化合物又はこれらのアルカリ金属塩もしくはアルカノールアミン塩、（２）エタン−1,1−ジホスホン酸、エタン−1,1,2−トリホスホン酸、エタン−1−ヒドロキシ−1,1−ジホスホン酸およびその誘導体、エタンヒドロキシ−1,1,2−トリホスホン酸、エタン−1,2−ジカルボキシ−1,2−ジホスホン酸、メタンヒドロキシホスホン酸等のホスホン酸又はこれらのアルカリ金属塩もしくはアルカノールアミン塩、（３）２−ホスホノブタン−1,2−ジカルボン酸、１−ホスホノブタン−2,3,4−トリカルボン酸、α−メチルホスホノコハク酸等のホスホノカルボン酸又はこれらのアルカリ金属塩もしくはアルカノールアミン塩、（４）アスパラギン酸、グルタミン酸、グリシン等のアミノ酸又はこれらのアルカリ金属塩もしくはアルカノールアミン塩、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩もしくはアルカノールアミン塩、（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩もしくはアルカノールアミン塩、（７）ゼオライトＡに代表されるアルミノケイ酸のアルカリ金属塩又はアルカノールアミン塩、（８）アミノポリ（メチレンホスホン酸）もしくはそのアルカリ金属塩もしくはアルカノールアミン塩、又はポリエチレンポリアミンポリ（メチレンホスホン酸）もしくはそのアルカリ金属塩もしくはアルカノールアミン塩を挙げることができる。
【００３３】
これらの中で上記（２）、（５）、（６）および（７）からなる群より選ばれる少なくとも１種が好ましく、上記（２）の群より選ばれる少なくとも１種がさらに好ましい。
【００３４】
本発明の組成物中の（ｉ）成分の含有量は、好ましくは０．００５〜５質量％、さらに好ましくは０．０１〜２質量％である。
【００３５】
その他、本発明の組成物には、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）を含有することができる。また染料や顔料のような着色剤、香料、シリコーン類、殺菌剤、紫外線吸収剤等の種々の微量添加物を適量配合してもよい。
【００３６】
本発明の組成物は、スプレー時に充分な液の流量と流速を得、スムーズなスプレー操作を行う観点から、低粘度であることが好ましく、２０℃における粘度が２０ｍＰａ・ｓ以下であることが更に好ましく、１〜１０ｍＰａ・ｓであることが特に好ましい。
【００３７】
尚、本発明の組成物の粘度は以下のように測定されたものである。
東京計器（株）製Ｂ型粘度計に、ローター番号No.１を備え付けたものを準備する。試料をトールビーカーに入れ、２０℃の恒温槽にて２０℃に調整する。恒温に調整された試料を粘度計にセットし、ローターの回転数を６０ｒｐｍに設定し、回転を始めてから６０秒後の粘度を本発明の組成物の２０℃における粘度とする。
【００３８】
［液体洗浄剤物品］
本発明の液体洗浄剤物品は、本発明の液体漂白剤組成物を、泡形成機構を具備する容器に充填してなるものである。泡形成機構とは、ポンプやスクイズ操作により、吐出時に空気を取り込むことにより泡を形成する機構をいう。泡形成機構を具備する容器としては、トリガー式スプレー容器が挙げられ、図１に示すように、容器に装着できる噴出器本体１を備え、前部に泡噴出ノズル３を備えた頭部を設け、トリガー２で液を加圧する蓄圧式のスプレー容器が好ましい。
【００３９】
泡形成機構を有するトリガー式スプレー容器の例としては、特開２００４−７６００６号公報、特開平１１−１００５９４号公報、登録実用新案第３０４４０６８号に記載の吐出機を有するトリガー式スプレー容器等が挙げられる。
【００４０】
本発明の液体洗浄剤物品により、豊かでクリーミーな泡を、直接、洗浄対象である衣料に付着させることができる。本発明の液体洗浄剤物品により、本発明に係わる泡状組成物を衣料に付着する際の付着量は、高い漂白効果を得る観点から、好ましくは０．１〜１ｇ／ｃｍ2、更に好ましくは０．１〜０．５ｇ／ｃｍ2である。また、泡状組成物と衣料の接触時間は、１〜６００分間、更に３〜３００分間、特に５〜６０分間が好ましい。このような処理の後、一般の弱アルカリ性洗剤と共に洗濯することが好ましい。
【実施例】
【００４１】
実施例１〜３及び比較例１〜４
下記成分を用い、表１に示す組成の液体漂白剤組成物を調製した。この液体漂白剤組成物を、市販トリガー式容器（花王（株）製アタックシュッと泡スプレー、１回のストロークで０．８ｇ噴射する。中身を抜いて水で数回洗浄し、乾燥させたもの）に充填した。これを用いて下記に示す方法により漂白洗浄性能、起泡性及び５０℃１ヶ月保存後の起泡性を評価した。結果を表１に示す。
【００４２】
＜配合成分＞
ａ−１；過酸化水素
ｂ−１；ドデカノイルオキシ−ｐ−ベンゼンスルホン酸ナトリウム
ｂ−２；ノナノイルオキシ−ｐ−ベンゼンカルボン酸
ｃ−１；ポリオキシエチレンラウリルエーテル（オキシエチレン平均付加モル数８、ＨＬＢ１３．１）
ｃ−２；ポリオキシエチレンミリスチルエーテル（オキシエチレン平均付加モル数１０、ＨＬＢ１３．５）
ｃ’−１；ポリオキシエチレンラウリルエーテル（オキシエチレン平均付加モル数５、ＨＬＢ１０．９）
ｄ−１；アルキルポリグルコシド（アルキル基の炭素数１４、グルコシド平均縮合度１．４）
ｅ−１；ジエチレングリコールモノフェニルエーテル
ｅ−２；トリエチレングリコールモノフェニルエーテル
ｆ−１；パルミチン酸ナトリウム
ｇ−１；Ｎ−ドデシル−Ｎ，Ｎ，Ｎ−トリメチルアンモニウムメチル硫酸エステル塩
ｈ−１；ポリアクリル酸ナトリウム（重量平均分子量１万）
ｉ−１；１−ヒドロキシエチリデン−１，１−ジホスホン酸（ディクエスト２０１０、ソルーシア社製）
＜漂白洗浄性能評価方法＞
上記市販トリガー式容器に各組成物を充填したものを用いて、下記で調製したカレー汚染布４枚にそれぞれ１回ずつ噴霧し、２０℃で５分間放置後、０．０６６７重量％濃度の市販洗剤溶液を使ってターゴトメーターにて洗浄した（８０ｒｐｍ×１０分）後、水道水ですすぎ、乾燥させて、下式により漂白率を求めた。
【００４３】
【数１】
2006143936.tif 000004
【００４４】
反射率は日本電色工業（株）製ＮＤＲ−１０ＤＰで４６０ｎｍフィルターを使用して測定した。
【００４５】
・カレー汚染布の調製
ハウス食品製レトルトカレー（カレーマルシェ、２００５年１２月１２日賞味期限）の固形分をメッシュで除去した後、得られた液を煮沸するまで加熱した。この液に木綿金布＃２００３を浸し、約１５分間煮沸した。そのまま火からおろし約２時間程度放置し室温まで放置した後、布を取りだし、余分に付着しているカレー液をへらで除去し、自然乾燥させた。その後プレスし、１０×１０ｃｍの試験布として実験に供した。
【００４６】
＜初期起泡性及び保存後の起泡性評価方法＞
２００ｍｌのプラスティック製メスシリンダー（内径４０ｍｍ）に、上記市販トリガー容器に各組成物を充填したものを用いて１０回スプレーし、その時の水溶液の質量と泡の容積から、起泡性（ｍｌ／ｇ）を算出した。また、これを５０℃で１ヶ月保存し、保存後の水溶液の質量に対する泡の容積から、保存後の起泡性（ｍｌ／ｇ）を算出した
【００４７】
【表１】
2006143936.tif 000005
【００４８】
以上の結果から、本発明の組成物は保存後の起泡性低下を抑制することが確認された。
【図面の簡単な説明】
【００４９】
【図１】本発明に用いられるトリガー式スプレー容器の一例を示す図である。
【符号の説明】
【００５０】
１  噴出器本体
２  トリガー
３  泡噴出ノズル
【図１】
2006143936.tif 000006